(57)【要約】【課題】家庭用薄葉紙の残量にかかわらず、容器内に収納された家庭用薄葉紙を容易に取り出すことができ、且つ、蓋をスムーズに閉めることができる家庭用薄葉紙収納容器を提供する。【解決手段】家庭用薄葉紙収納容器１００において、蓋部２０の開動作及び閉動作に連動して移動する紐状部材（可動部）４０と、紐状部材４０に連結され、家庭用薄葉紙Ｐを載置する載置部材５０とを備え、蓋部２０の開動作に連動して、載置部材５０を開口部１０ａ側に移動させるとともに、蓋部２０の閉動作に連動して、載置部材５０を開口部１０ａ側から離間させる。【選択図】図７
2010228766.tif 000002
【特許請求の範囲】
【請求項１】
家庭用薄葉紙を前後方向に複数積層されるように内部に収納するとともに、上部に当該家庭用薄葉紙を取り出すための開口部を有する容器本体と、
前記容器本体の後面側に回動可能に設けられ、前記開口部を開閉自在とする蓋部と、
前記蓋部に連結され、前記蓋部の開動作及び閉動作に連動して移動する可動部と、
前記可動部に連結され、前記家庭用薄葉紙を載置する底面部を備える載置部材と、
を備え、
前記可動部は、前記蓋部の開動作に連動して、前記載置部材を前記開口部側に移動させるとともに、前記蓋部の閉動作に連動して、前記載置部材を前記開口部側から離間させることを特徴とする家庭用薄葉紙収納容器。
【請求項２】
前記載置部材は、前記底面部の前面側の端部から立設された前壁と、当該前壁に対向し、前記底面部の後面側の端部から立設された後壁と、を備えていることを特徴とする請求項１に記載の家庭用薄葉紙収納容器。
【請求項３】
前記載置部材は、前記底面部の左右両端部から立設された側壁を備え、前記底面部、前記前壁、前記後壁及び前記側壁により、上部が開口した箱型状に形成されていることを特徴とする請求項２に記載の家庭用薄葉紙収納容器。
【請求項４】
前記載置部材の前記前壁の高さは、前記後壁の高さよりも低く形成されていることを特徴とする請求項２又は３に記載の家庭用薄葉紙収納容器。
【請求項５】
前記容器本体の底部と前記載置部材の前記底面部とにそれぞれ連結された弾性部材を備え、
前記蓋部を閉じる際に、前記弾性部材の弾性復元力により、前記載置部材が前記開口部から離間する方向に移動することを特徴とする請求項１〜４の何れか一項に記載の家庭用薄葉紙収納容器。
【請求項６】
前記載置部材は、前記蓋部が閉じられた状態で、前記容器本体の前面部から離間した位置に配設され、
前記可動部は、紐状部材により形成されるとともに、前記載置部材における重心よりも下側且つ後側の位置に連結され、
前記蓋部を開く際に、前記可動部により前記載置部材が引っ張られることで、当該載置部材が前記開口部側に移動するとともに、前傾することを特徴とする請求項１〜５の何れか一項に記載の家庭用薄葉紙収納容器。
【請求項７】
前記載置部材は、前記蓋部が閉じられた状態で、前記容器本体の前面部から離間した位置に配設され、
前記可動部は、板ばねにより形成されるとともに、前記載置部材の前記後壁における下端側外周に接着され、
前記蓋部を開く際に、前記可動部により前記載置部材が引き上げられることで、当該載置部材が前記開口部側に移動するとともに前傾し、前記載置部材が前記可動部の弾性変形による弾性力によって前側に付勢されることを特徴とする請求項２〜４の何れか一項に記載の家庭用薄葉紙収納容器。
【請求項８】
前記載置部材は、前記蓋部が閉じられた状態で、前記容器本体の前面部から離間した位置に配設され、
前記可動部は、長尺な連結部材により形成され、当該可動部の上端部が前記蓋部に左右方向の軸線周りに回動自在に連結されるとともに、当該可動部の下端部が前記載置部材における重心よりも下側且つ後側の位置に、左右方向の軸線周りに回動自在に連結され、
前記蓋部を開く際に、前記可動部により前記載置部材が引き上げられることで、当該載置部材が前記開口部側に移動するとともに、前記可動部との連結箇所における左右方向の軸線周りに前記容器本体の前面部側に回動して前傾することを特徴とする請求項１〜５の何れか一項に記載の家庭用薄葉紙収納容器。
【発明の詳細な説明】
【技術分野】
【０００１】
本発明は、家庭用薄葉紙収納容器に関する。
【背景技術】
【０００２】
従来、家屋の床やトイレ、または人体などを拭くためのウェットシートやウェットティッシュなどの家庭用薄葉紙を収納する家庭用薄葉紙収納容器（以下、容器という。）が知られている。容器は、家庭用薄葉紙を収納する容器本体と、容器本体内に収納された家庭用薄葉紙を取り出すための取出口を塞ぐ蓋とを備え、蓋を開けることで取出口から家庭用薄葉紙を取り出すことができるようになっている。
【０００３】
また、容器の底面に、折り曲げ可能な部材を配設し、容器内の内容物が残り少なくなった場合に、使用者が該部材を折り曲げることで、折り曲げられた該部材により内容物が取出口の方向に持ち上げられ、取出口から内容物が取り出しにくくなることを防止する容器が知られている（例えば特許文献１参照）。
また、容器内に、載置された内容物の重量に合わせて載置面の高さが変化し、内容物の重量が減るにつれて載置面が上方向に移動していく載置部材を設けることで、内容物の残量が少なくなった場合でも内容物を取り出し易くする容器が提案されている（例えば特許文献２参照）。
【先行技術文献】
【特許文献】
【０００４】
【特許文献１】特開２００１−２４０１６２号公報
【特許文献２】特開２００５−２４７３９５号公報
【発明の概要】
【発明が解決しようとする課題】
【０００５】
ところが、上記特許文献１の容器では、容器の底面に設けられた部材を使用者自身が折り曲げる必要があるため、手間がかかって面倒であるという難点があった。これに対し、上記特許文献２の容器では、内容物が減少するにしたがって、内容物が自重によって自動的に取出口の方向に移動するため、使用者が内容物を押し上げるための何らかの作業を行う必要がない。
【０００６】
しかしながら、特許文献２の容器では、家庭用薄葉紙の自重のみによって載置面の高さを変化させる構造であるため、積層された家庭用薄葉紙を横にして収納するタイプの容器には好適であるが、積層された家庭用薄葉紙を縦にして収納するタイプの容器では、家庭用薄葉紙の重量が減ると積載面が高くなり、家庭用薄葉紙が折れ曲がったり、倒れてしまい、家庭用薄葉紙が取り出しにくくなってしまう。また、家庭用薄葉紙が取出口からはみ出て、蓋を閉める際に家庭用薄葉紙が蓋と容器本体との間に挟まってしまうというトラブルが発生して、蓋が閉めにくくなってしまう。
【０００７】
本発明の課題は、家庭用薄葉紙の残量にかかわらず、容器内に前後方向に積層されるように収納された家庭用薄葉紙を容易に取り出すことができ、且つ、蓋をスムーズに閉めることができる家庭用薄葉紙収納容器を提供することである。
【課題を解決するための手段】
【０００８】
上記課題を解決するため、請求項１に記載の発明は、家庭用薄葉紙収納容器であって、
家庭用薄葉紙を前後方向に複数積層されるように内部に収納するとともに、上部に当該家庭用薄葉紙を取り出すための開口部を有する容器本体と、
前記容器本体の後面側に回動可能に設けられ、前記開口部を開閉自在とする蓋部と、
前記蓋部に連結され、前記蓋部の開動作及び閉動作に連動して移動する可動部と、
前記可動部に連結され、前記家庭用薄葉紙を載置する底面部を備える載置部材と、
を備え、
前記可動部は、前記蓋部の開動作に連動して、前記載置部材を前記開口部側に移動させるとともに、前記蓋部の閉動作に連動して、前記載置部材を前記開口部側から離間させることを特徴とする。
【０００９】
請求項２に記載の発明は、請求項１に記載の家庭用薄葉紙収納容器において、
前記載置部材は、前記底面部の前面側の端部から立設された前壁と、当該前壁に対向し、前記底面部の後面側の端部から立設された後壁と、を備えていることを特徴とする。
【００１０】
請求項３に記載の発明は、請求項２に記載の家庭用薄葉紙収納容器において、
前記載置部材は、前記底面部の左右両端部から立設された側壁を備え、前記底面部、前記前壁、前記後壁及び前記側壁により、上部が開口した箱型状に形成されていることを特徴とする。
【００１１】
請求項４に記載の発明は、請求項２又は３に記載の家庭用薄葉紙収納容器において、
前記載置部材の前記前壁の高さは、前記後壁の高さよりも低く形成されていることを特徴とする。
【００１２】
請求項５に記載の発明は、請求項１〜４の何れか一項に記載の家庭用薄葉紙収納容器において、
前記容器本体の底部と前記載置部材の前記底面部とにそれぞれ連結された弾性部材を備え、
前記蓋部を閉じる際に、前記弾性部材の弾性復元力により、前記載置部材が前記開口部から離間する方向に移動することを特徴とする。
【００１３】
請求項６に記載の発明は、請求項１〜５の何れか一項に記載の家庭用薄葉紙収納容器において、
前記載置部材は、前記蓋部が閉じられた状態で、前記容器本体の前面部から離間した位置に配設され、
前記可動部は、紐状部材により形成されるとともに、前記載置部材における重心よりも下側且つ後側の位置に連結され、
前記蓋部を開く際に、前記可動部により前記載置部材が引っ張られることで、当該載置部材が前記開口部側に移動するとともに、前傾することを特徴とする。
【００１４】
請求項７に記載の発明は、請求項２〜４の何れか一項に記載の家庭用薄葉紙収納容器において、
前記載置部材は、前記蓋部が閉じられた状態で、前記容器本体の前面部から離間した位置に配設され、
前記可動部は、板ばねにより形成されるとともに、前記載置部材の前記後壁における下端側外周に接着され、
前記蓋部を開く際に、前記可動部により前記載置部材が引き上げられることで、当該載置部材が前記開口部側に移動するとともに前傾し、前記可動部の弾性変形による弾性力により、前記載置部材が前側に付勢されることを特徴とする。
【００１５】
請求項８に記載の発明は、請求項１〜５の何れか一項に記載の家庭用薄葉紙収納容器において、
前記載置部材は、前記蓋部が閉じられた状態で、前記容器本体の前面部から離間した位置に配設され、
前記可動部は、長尺な連結部材により形成され、当該可動部の上端部が前記蓋部に左右方向の軸線周りに回動自在に連結されるとともに、当該可動部の下端部が前記載置部材における重心よりも下側且つ後側の位置に、左右方向の軸線周りに回動自在に連結され、
前記蓋部を開く際に、前記可動部により前記載置部材が引き上げられることで、当該載置部材が前記開口部側に移動するとともに、前記可動部との連結箇所における左右方向の軸線周りに前記容器本体の前面部側に回動して前傾することを特徴とする。
【発明の効果】
【００１６】
本発明によれば、蓋部の開動作及び閉動作に連動して移動する可動部と、可動部に連結され、家庭用薄葉紙を載置する載置部材とが備わり、蓋部の開動作に連動して、載置部材が開口部側に移動するとともに、蓋部の閉動作に連動して、載置部材が開口部側から離間する。
すなわち、蓋部を開く際には、家庭用薄葉紙を載置する載置部材が容器本体の上部に設けられた開口部側に移動するため、内部に収納された家庭用薄葉紙の残量が少なくなった場合でも、家庭用薄葉紙を容易に取り出すことができる。また、蓋部を閉める際には、家庭用薄葉紙を載置する載置部材が開口部から離間するため、容器本体と蓋部との間に家庭用薄葉紙が挟まってしまうというトラブルが発生せず、蓋部をスムーズに閉めることができる。したがって、家庭用薄葉紙収納容器において、家庭用薄葉紙の残量にかかわらず、容器内に前後方向に積層されるように収納された家庭用薄葉紙を容易に取り出すことができ、且つ、蓋をスムーズに閉めることができる。
【図面の簡単な説明】
【００１７】
【図１】第１の実施形態の家庭用薄葉紙収納容器の蓋部が開けられた状態を示す前方斜視図である。
【図２】第１の実施形態の家庭用薄葉紙収納容器の蓋部が開けられた状態を示す後方斜視図である。
【図３】第１の実施形態の家庭用薄葉紙収納容器の蓋部が閉じられた状態を示す前方斜視図である。
【図４】第１の実施形態の家庭用薄葉紙収納容器の蓋部が閉じられた状態を示す後方斜視図である。
【図５】図５（ａ）は、蓋部が取り外された容器本体の後方斜視図であり、図５（ｂ）は、取り外された蓋部の裏側（内面側）を示す斜視図である。
【図６】図３のVI−VI線における側面断面図であり、容器本体の内部に複数の家庭用薄葉紙が収納されている状態を示している。
【図７】容器本体の内部に複数の家庭用薄葉紙が収納されている状態を示す前方斜視図である。
【図８】図７のVIII−VIII線における側面断面図である。
【図９】変形例の家庭用薄葉紙収納容器の蓋部が閉じられた状態を示す側面断面図である。
【図１０】変形例の家庭用薄葉紙収納容器の蓋部が開けられた状態を示す側面断面図である。
【図１１】第２の実施形態の家庭用薄葉紙収納容器の蓋部が開けられた状態を示す前方斜視図である。
【図１２】第２の実施形態の家庭用薄葉紙収納容器の蓋部が閉じられた状態を示す側面断面図である。
【図１３】第２の実施形態の家庭用薄葉紙収納容器の蓋部が開けられた状態を示す前方斜視図であり、容器本体の内部に複数の家庭用薄葉紙が収納されている状態を示している。
【図１４】図１３のXIV−XIV線における側面断面図である。
【図１５】第３の実施形態の家庭用薄葉紙収納容器の蓋部が開けられた状態を示す前方斜視図である。
【図１６】第３の実施形態の家庭用薄葉紙収納容器の蓋部が閉じられた状態を示す側面断面図である。
【図１７】第３の実施形態の家庭用薄葉紙収納容器の蓋部が開けられた状態を示す前方斜視図であり、容器本体の内部に複数の家庭用薄葉紙が収納されている状態を示している。
【図１８】図１７のXVIII−XVIII線における側面断面図である。
【発明を実施するための形態】
【００１８】
以下、本発明に係る実施の形態を図面に基づいて説明する。なお、発明の範囲は図示例に限定されない。
【００１９】
[第１の実施形態]
まず、第１の実施形態の家庭用薄葉紙収納容器について、図１〜図８を参照しながら説明する。なお、図５では、載置部材及び可動部材の図示は省略している。
本実施形態の家庭用薄葉紙収納容器１００は、図１〜図８に示すように、上部に開口部１０ａが設けられ、内部に家庭用薄葉紙Ｐを収納するための容器本体１０と、容器本体１０の後面部１０ｂ側にヒンジ機構部３０を介して回動可能に備えられ、開口部１０ａを開閉自在とする蓋部２０と、容器本体１０と蓋部２０を離間させる方向に付勢するねじりコイルばね３１と、蓋部２０に連結され、蓋部２０の開動作及び閉動作に連動して移動する可動部としての２本の紐状部材４０と、各紐状部材４０に連結され、家庭用薄葉紙Ｐを載置する載置部材５０と、を備える。
【００２０】
家庭用薄葉紙収納容器１００は、蓋部２０が閉じられた状態で箱体状に形成されており、ウェットシートやウェットティッシュなどのウェットタイプの家庭用薄葉紙Ｐやティシュ−ペーパー、キッチンペーパー、ペーパータオルなどの乾式の家庭用薄葉紙Ｐを、載置部材５０に前後方向に複数積層された状態で載置して、容器本体１０の内部に収容する（図６参照）。
容器本体１０は、前面部１０ｃ側の高さが後面部１０ｂ側の高さより低く形成されている。また、容器本体１０の上部に設けられた開口部１０ａは、内部に収納された家庭用薄葉紙Ｐを取り出すための取出口をなしており、蓋部２０が閉じられた場合に塞がれ（閉じ）、蓋部２０が開かれた場合に露出する（開く）。使用者は、蓋部２０を開くことで開口部１０ａを露出させ、開口部１０ａの前方側から、載置部材５０に載置された家庭用薄葉紙Ｐの取り出しを行う。
【００２１】
容器本体１０と蓋部２０と載置部材５０とは、ＰＰ（ポリプロピレン）、ＡＢＳ（アクリロニトリル・ブタジエン・スチレン）、ＰＥ（ポリエチレン）、ＰＰとＰＥの混合体などの樹脂が、ブロー成形、射出成形（コールドランナー、ホットランナー）などの製造方法によって成形されて成る。
【００２２】
容器本体１０の後面部１０ｂの開口部１０ａ近傍には、容器ヒンジ部１１が形成されており、蓋部２０の後面側には、蓋ヒンジ部２１が形成されている。そして、容器ヒンジ部１１の軸穴１１ａに蓋ヒンジ部２１の軸突起２１ａを係入して、容器ヒンジ部１１と蓋ヒンジ部２１とを取り付けることによって、容器ヒンジ部１１と蓋ヒンジ部２１とが連結されてなるヒンジ機構部３０が構成されている。
【００２３】
また、蓋ヒンジ部２１には筒部２２が備えられており、その筒部２２の内側にねじりコイルばね３１（図５）が装着されている。ねじりコイルばね３１は、蓋部２０を容器本体１０から離間させる方向に付勢しており、ねじりコイルばね３１によって、蓋部２０がヒンジ機構部３０の軸心周りに回動するように押し上げられることで（蓋部２０の開動作）、蓋部２０が開くようになっている。反対に、ねじりコイルばね３１の付勢力に抗して、蓋部２０をヒンジ機構部３０の軸心周りに回動するように押え付けることで（蓋部２０の閉動作）、蓋部２０が閉じるようになっている。
【００２４】
一方、容器本体１０の開口部１０ａの周縁部１５には、蓋部２０が閉じられた際に、蓋部２０の周縁部２５が嵌入する溝部１６（図８）が形成されている。また、容器本体１０の前面部１０ｃの開口部１０ａ近傍には、係合部１３が形成されており、蓋部２０の前面側には、係合部１３と係合可能な係止部２３が形成されている。
そして、蓋部２０を閉動作させ、蓋部２０の周縁部２５を溝部１６に嵌入させて、容器本体１０側の係合部１３と蓋部２０側の係止部２３とを係合させることにより、蓋部２０によって開口部１０ａが塞がれた状態で、蓋部２０が容器本体１０側に保持されるようになっている。
【００２５】
また、容器本体１０の前面部１０ｃの外面側であって開口部１０ａ近傍には、前方に突出する挟持部１２が備えられており、挟持部１２には、係合解除部材１４がその配置を変更可能に軸支されて配設されている。係合解除部材１４と挟持部１２とを挟持すると、係合解除部材１４の一端が挟持部１２に近接する方向に揺動する。すると、係合解除部材１４の他端が蓋部２０の押上突起２４を押し上げて、係止部２３と係合部１３の係合が解除されることとなる。これにより、蓋部２０がねじりコイルばね３１の付勢力によって押し上げられて開動作し、蓋部２０が開くようになっている。
【００２６】
紐状部材４０は、例えば、略同一の長さを有し、各紐状部材４０の一端４０ａが、蓋部２０の容器本体１０側の面２０ａにおける蓋部２０の中心を通る前後方向の直線に対して等距離の位置に、連結部材４１を介して連結されている。また、各紐状部材４０の他端４０ｂは、連結部材４２により、載置部材５０の外周面に取り付けられている。
これらの紐状部材４０は、その一端４０ａに連結された蓋部２０に連動して移動することで、蓋部２０の開閉時に、他端４０ｂに連結された載置部材５０の位置を変動させる。
【００２７】
載置部材５０は、上部が開放された箱型状に形成されており、矩形状の底面部５０ａと、底面部５０ａの前側端部から立設された前壁５０ｂと、底面部５０ａの後側端部から立設され、前壁５０ｂに対向する後壁５０ｃと、底面部５０ａの左右両端部からそれぞれ立設され、互いに対向する左右２つの側壁５０ｄと、を有し、閉蓋状態の容器本体１０の内部に収納可能な寸法に形成されている。
載置部材５０の底面部５０ａは、家庭用薄葉紙Ｐを載置するための載置面をなしており、底面部５０ａに家庭用薄葉紙Ｐを前後方向に複数積層されるようにして載置した状態で、容器本体１０の内部に設けられる。また、載置部材５０は、図６に示すように、閉蓋状態の容器本体１０の内部において、容器本体１０の前面部１０ｃと載置部材５０の前壁５０ｂとの間に隙間が形成されるように、容器本体１０の前面部１０ｃから離間した位置に配設されている。さらに、載置部材５０は、図６に示すように、平坦面である容器本体１０の底部１０ｄに載置されることで、略垂直に立てられた状態で、容器本体１０内における底部１０ｄ側に収納されるようになっている（以下、この位置を「収納位置」という）。
【００２８】
また、載置部材５０の前壁５０ｂの高さは、後壁５０ｃの高さよりも低く、且つ、載置部材５０の底面部５０ａに載置された家庭用薄葉紙Ｐの高さよりも低く形成されている。すなわち、載置部材５０は、前後方向に積層されて載置された家庭用薄葉紙Ｐのうちの前側に位置する家庭用薄葉紙Ｐが載置部材５０の開口からより多く突出するように、前方がより広く開放された形状となっている。
【００２９】
載置部材５０の外周面における左右両側の各側壁５０ｄと後壁５０ｃとにより構成される２つの角部下端には、前述したように、蓋部２０に連結された各紐状部材４０の他端４０ｂが取り付けられている。すなわち、載置部材５０は、紐状部材４０を介して蓋部２０に連結されている。
そのため、載置部材５０は、蓋部２０が開動作を行った場合に、蓋部２０に連結された紐状部材４０によって上方に引っ張られ、容器本体１０内における底部１０ｄ側の収納位置から開口部１０ａ側に移動して、載置部材５０に載置された家庭用薄葉紙Ｐを開口部１０ａ側に移動させるようになっている。
【００３０】
具体的には、蓋部２０が閉じた状態では、前述したように、家庭用薄葉紙Ｐを載置する載置部材５０は、容器本体１０内の底部１０ｄ側に、容器本体１０の底部１０ｄに載置された状態で収納される（図６）。そして、蓋部２０が閉じた状態（図６）から、開口部１０ａを露出させるように蓋部２０が開動作すると、紐状部材４０を介して蓋部２０に連結された載置部材５０が、紐状部材４０によって後側斜め上方に引っ張られて容器本体１０の開口部１０ａ側に上昇し、図７及び図８に示すように、載置部材５０の上端側が開口部１０ａから突出する（以下、この位置を「取り出し位置」という）。
【００３１】
また、このとき、載置部材５０に対する上方への引張力は、載置部材５０における重心よりも後寄り且つ下寄りの位置に作用するため、載置部材５０は、開口部１０ａ側への上昇と同時に、前方に倒れることとなる。そして、載置部材５０の内部に載置された家庭用薄葉紙Ｐの上端部が、容器本体１０の前方の使用者側に斜めに突出する。
【００３２】
したがって、使用者が、容器本体１０の内部に収納された家庭用薄葉紙Ｐを取り出すために蓋部２０を開けると、蓋部２０の開動作に連動して、紐状部材４０を介して蓋部２０に連結されている載置部材５０が、紐状部材４０に引っ張られて、容器本体１０内における底部１０ｄ側から開口部１０ａ側に上昇し、載置部材５０の上端側が開口部１０ａから突出するとともに前方に倒れる。これにより、載置部材５０に載置された家庭用薄葉紙Ｐが開口部１０ａ側に移動するとともに前傾して、家庭用薄葉紙Ｐの上端部が使用者側に斜めに突出することとなり、使用者が、家庭用薄葉紙Ｐの上端部を掴んで容器本体１０の内部から取り出し易くなる。
【００３３】
また、載置部材５０は、その前壁５０ｂの高さが後壁５０ｃの高さより低く形成されているため、前壁５０ｂの高さが低く形成された分だけ、容器本体１０の前面部１０ｃ側から使用者側に突出する家庭用薄葉紙Ｐの上端部側の長さが長くなっており、家庭用薄葉紙Ｐが更に掴み易く、取り出し易いものとなっている。
【００３４】
一方、蓋部２０が開いた状態（図７、図８）から、開口部１０ａを塞ぐように蓋部２０が閉動作すると、開蓋時において蓋部２０によって後側斜め上方に引き上げられていた紐状部材４０が、蓋部２０に連動して移動して元の位置に戻り、載置部材５０に紐状部材４０による容器本体１０の上方側への引張力が作用しないこととなる。すると、紐状部材４０によって後側斜め上方に引き上げられていた載置部材５０が、容器本体１０の開口部１０ａから離間する方向に下降して、図６に示すように、容器本体１０内における底部１０ｄ側に戻る。これにより、載置部材５０に載置された家庭用薄葉紙Ｐが、容器本体１０内における底部１０ｄ側の位置に戻ることとなる。
【００３５】
したがって、使用者が、家庭用薄葉紙Ｐの取り出し後に蓋部２０を閉じると、蓋部２０の閉動作に連動して、紐状部材４０を介して蓋部２０に連結されている載置部材５０が、家庭用薄葉紙Ｐとともに、容器本体１０内における底部１０ｄ側の位置に下降して、開口部１０ａ側の取り出し位置から再び底部１０ｄ側の収納位置に戻ることとなる。載置部材５０が収納位置にある状態、すなわち、載置部材５０が容器本体１０内における底部１０ｄ側の位置にある状態（図６）では、載置部材５０に載置された家庭用薄葉紙Ｐの上端部が開口部１０ａから使用者側に突出しないため、容器本体１０と蓋部２０の間に家庭用薄葉紙Ｐが挟まってしまうというトラブルが発生せず、蓋部２０をスムーズに閉めることができる。
【００３６】
以上に説明した第１の実施形態の家庭用薄葉紙収納容器１００によれば、蓋部２０を開く際には、蓋部２０の開動作に連動して、蓋部２０に紐状部材４０を介して連結された載置部材５０が、紐状部材４０により上方側に引っ張られて、容器本体１０の開口部１０ａ側の取り出し位置に移動するとともに、容器本体１０の前面部１０ｃ側に前傾する。一方、蓋部２０を閉める際には、蓋部２０の閉動作に連動して、蓋部２０に紐状部材４０を介して連結された載置部材５０が、紐状部材４０による引張力から開放され、容器本体１０の開口部１０ａから離間して、容器本体１０内における底部１０ｄ側の収納位置に戻る。
【００３７】
これにより、使用者が家庭用薄葉紙Ｐを取り出す際に蓋部２０を開くと、蓋部２０の開動作に連動して、載置部材５０に前後方向に積層されて載置されている家庭用薄葉紙Ｐが、容器本体１０の開口部１０ａ側に上昇して前方に突出し、自動的に、使用者によって掴み易い位置に移動する。したがって、家庭用薄葉紙Ｐの残量にかかわらず、容器本体１０の内部から家庭用薄葉紙Ｐの取り出しを容易に行うことが可能となる。
また、使用者が家庭用薄葉紙Ｐの取り出し後に蓋部２０を閉じると、蓋部２０の閉動作に連動して、載置部材５０に載置されている家庭用薄葉紙Ｐが、容器本体１０の開口部１０ａ側から離間するように下降し、自動的に、蓋部２０と容器本体１０との間に挟まれない位置に移動する。したがって、家庭用薄葉紙収納容器１００において、蓋部２０を閉める際に、蓋部２０と容器本体１０との間に家庭用薄葉紙Ｐが挟まれるというトラブルを防止することができ、蓋部２０をスムーズに閉めることができる。
すなわち、家庭用薄葉紙収納容器１００において、蓋部２０の開閉に応じて、紐状部材４０を介して蓋部２０に連結された載置部材５０が、家庭用薄葉紙Ｐとともに、家庭用薄葉紙Ｐの取り出しが容易な取り出し位置と、蓋部２０をスムーズに閉めることが可能な収納位置との間で移動することとなり、使用者にとって使い勝手の良いものとなる。
【００３８】
[変形例]
次に、家庭用薄葉紙収納容器の変形例について説明する。
変形例の家庭用薄葉紙収納容器１００ａは、図９及び図１０に示すように、上記第１の実施形態の家庭用薄葉紙収納容器１００の構成に加え、更に、容器本体１０の底部１０ｄと載置部材５０の底面部５０ａとに挟まれる位置に、弾性部材６０が配設されている。
【００３９】
弾性部材６０は、例えば、コイルばねにより構成され、その一端部６０ａが容器本体１０の底部１０ｄの内周側の略中央に連結され、他端部６０ｂが載置部材５０の底面部５０ａの外周側に連結されて、容器本体１０の内部に設けられた載置部材５０を上方に押し上げるように弾性的に支持している。
この弾性部材６０は、開蓋時に載置部材５０に作用する紐状部材４０の引張力よりも小さい弾性力を有している。そのため、図９に示すように、蓋部２０が開かれて、蓋部２０に連結された紐状部材４０が載置部材５０を容器本体１０の開口部１０ａ側に引き上げた場合であっても、載置部材５０が弾性部材６０の弾性復元力に抗して容器本体１０の開口部１０ａ側に上昇することとなる。
【００４０】
一方、図１０に示すように、蓋部２０が閉じられて、蓋部２０に連結された紐状部材４０により、家庭用薄葉紙Ｐを容器本体１０の開口部１０ａ側に引っ張る力が作用しない状態となった場合には、延伸状態にある弾性部材６０の弾性復元力によって、載置部材５０が容器本体１０の底部１０ｄ側に引っ張られ、載置部材５０が、スムーズに容器本体１０の底部１０ｄ側に下降することとなる。
このように、蓋部２０を閉じる際に、弾性部材６０の弾性復元力によって、家庭用薄葉紙Ｐを載置する載置部材５０が、家庭用薄葉紙Ｐが蓋部２０と容器本体１０との間に挟まれない収納位置に素早く且つ確実に移動するため、蓋部２０をよりスムーズに閉めることができる。
【００４１】
以上に説明した変形例の家庭用薄葉紙収納容器１００ａによれば、開蓋状態において、弾性部材６０が、家庭用薄葉紙Ｐを載置する載置部材５０を容器本体１０の底部１０ｄ側に引っ張るため、蓋部２０を閉める際に、容器本体１０の開口部１０ａ側の取り出し位置にあった載置部材５０が、弾性部材６０の弾性復元力によって容器本体１０内における底部１０ｄ側の収納位置に、より素早く且つ確実に移動して、載置部材５０に載置された家庭用薄葉紙Ｐを蓋部２０と容器本体１０との間に挟まれない位置に移動させることができ、蓋部２０の閉め易さが更に向上することとなる。
【００４２】
[第２の実施形態]
次に、第２の実施形態の家庭用薄葉紙収納容器について説明する。
なお、以下では、上記第１の実施形態と同じ又は類似の構成には同一符号を付すとともにその説明を省略し、第１の実施形態と異なる部分についてのみ説明する。
【００４３】
本実施形態の家庭用薄葉紙収納容器２００は、図１１〜図１４に示すように、上部に開口部１０ａが設けられ、内部に家庭用薄葉紙Ｐを収納するための容器本体１０と、容器本体１０の後面部１０ｂ側にヒンジ機構部３０を介して回動可能に備えられ、開口部１０ａを開閉自在とする蓋部２０と、容器本体１０と蓋部２０を離間させる方向に付勢するねじりコイルばね３１と、上端部７０ａが蓋部２０に連結され、蓋部２０の開動作及び閉動作に連動して移動する可動部としての２つの板ばね７０と、各板ばね７０の下端部７０ｂに連結され、家庭用薄葉紙Ｐを載置する載置部材５０と、を備える。
【００４４】
各板ばね７０は、矩形状に形成されるとともに略同一のばね係数を有しており、図１１や図１２等に示すように、蓋部２０の容器本体１０側の面２０ａに左右方向に並んで２つ配設されている。各板ばね７０の上端部７０ａは、蓋部２０の中心を通る前後方向の直線に対して等距離の位置において蓋部２０に連結され、蓋部２０を閉じた状態にて、各板ばね７０の前面７０ｃが容器本体１０の前面部１０ｃ側に対向し、且つ、各板ばね７０の長辺が下方に延出するようになっている。さらに、各板ばね７０は、蓋部２０の容器本体１０側の面２０ａにおける後面寄りの位置に配設されており、蓋部２０を閉じた際に、板ばね７０の前方に載置部材５０に載置された家庭用薄葉紙Ｐの収納空間が確保されるようになっている。
なお、板ばね７０は、図１２及び図１４に示すように、蓋部２０と一体に成形されたものであってもよく、または、後加工により蓋部２０に取り付けられたものであってもよい。
【００４５】
また、各板ばね７０の前面７０ｃの下端部７０ｂ側には、家庭用薄葉紙Ｐを載置する載置部材５０の後壁５０ｃの下端側外周に接着されている。
これらの板ばね７０は、その上端部７０ａに連結された蓋部２０に連動して移動することで、蓋部２０の開閉時に、下端部７０ｂ側に接着された載置部材５０の位置を変動させる。
【００４６】
載置部材５０の後壁５０ｃの下端側外周には、前述したように、蓋部２０に連結された各板ばね７０の下端部７０ｂ側の前面７０ｃが接着されている。すなわち、載置部材５０は、板ばね７０を介して蓋部２０に連結されている。
そのため、載置部材５０は、蓋部２０が開動作を行った場合に、蓋部２０に連結された板ばね７０によって上方に引き上げられ、容器本体１０内における底部１０ｄ側の収納位置から開口部１０ａ側に移動して、載置部材５０に載置された家庭用薄葉紙Ｐを開口部１０ａ側に移動させるようになっている。
【００４７】
具体的には、蓋部２０が閉じた状態では、前述したように、家庭用薄葉紙Ｐを載置する載置部材５０は、容器本体１０内の底部１０ｄ側に、容器本体１０の底部１０ｄに載置された状態で収納される（図１２）。そして、蓋部２０が閉じた状態（図１２）から、開口部１０ａを露出させるように蓋部２０が開動作すると、蓋部２０に連結された板ばね７０が、下端部７０ｂ側に接着された載置部材５０を後側斜め上方に引き上げる。すると、載置部材５０は、板ばね７０によって引き上げられて容器本体１０の開口部１０ａ側に上昇し、図１３及び図１４に示すように、載置部材５０の上端側が開口部１０ａから突出する（以下、この位置を「取り出し位置」という）。このとき、各板ばね７０は、前側斜め上方側に凸となるように曲線状に弾性変形して、載置部材５０を容器本体１０の前面部１０ｃ側に付勢する。載置部材５０の前壁５０ｂは、容器本体１０の前面部１０ｃの内周側に当接して、板ばね７０の弾性力によって前面部１０ｃ側に押圧される。
【００４８】
また、このとき、載置部材５０を上方に引き上げる力は載置部材５０における後壁５０ｃの下端側に作用するため、載置部材５０は、開口部１０ａ側への上昇と同時に、前方に倒れることとなる。そして、載置部材５０の内部に載置された家庭用薄葉紙Ｐの上端部が、容器本体１０の前方の使用者側に斜めに突出する。
【００４９】
したがって、使用者が、容器本体１０の内部に収納された家庭用薄葉紙Ｐを取り出すために蓋部２０を開けると、蓋部２０の開動作に連動して、板ばね７０を介して蓋部２０に連結されている載置部材５０が、板ばね７０によって引き上げられて、容器本体１０内における底部１０ｄ側から開口部１０ａ側に上昇し、載置部材５０の上端側が開口部１０ａから突出するとともに前方に倒れる。これにより、載置部材５０に載置された家庭用薄葉紙Ｐが開口部１０ａ側に移動するとともに前傾して、家庭用薄葉紙Ｐの上端部が使用者側に斜めに突出することとなり、使用者が、家庭用薄葉紙Ｐの上端部を掴んで容器本体１０の内部から取り出し易くなる。
【００５０】
一方、蓋部２０が開いた状態（図１３、図１４）から、開口部１０ａを塞ぐように蓋部２０が閉動作すると、開蓋時において蓋部２０によって後側斜め上方に引き上げられていた板ばね７０が、蓋部２０に連動して移動して元の位置に戻る。すると、板ばね７０によって後側斜め上方に引き上げられていた載置部材５０が、容器本体１０の開口部１０ａから離間する方向に下降して、図１２に示すように、容器本体１０内における底部１０ｄ側に戻る。これにより、載置部材５０に載置された家庭用薄葉紙Ｐが、容器本体１０内における底部１０ｄ側の位置に戻ることとなる。
【００５１】
したがって、使用者が、家庭用薄葉紙Ｐの取り出し後に蓋部２０を閉じると、蓋部２０の閉動作に連動して、板ばね７０を介して蓋部２０に連結されている載置部材５０が、家庭用薄葉紙Ｐとともに、容器本体１０内における底部１０ｄ側の位置に下降して、開口部１０ａ側の取り出し位置から再び底部１０ｄ側の収納位置に戻ることとなる。載置部材５０が収納位置にある状態、すなわち、載置部材５０が容器本体１０内における底部１０ｄ側の位置にある状態（図１２）では、載置部材５０に載置された家庭用薄葉紙Ｐの上端部が開口部１０ａから使用者側に突出しないため、容器本体１０と蓋部２０の間に家庭用薄葉紙Ｐが挟まってしまうというトラブルが発生せず、蓋部２０をスムーズに閉めることができる。
【００５２】
以上に説明した第２の実施形態の家庭用薄葉紙収納容器２００によれば、蓋部２０を開く際には、蓋部２０の開動作に連動して、蓋部２０に板ばね７０を介して連結された載置部材５０が、板ばね７０により上方側に引き上げられて、容器本体１０の開口部１０ａ側の取り出し位置に移動するとともに、容器本体１０の前面部１０ｃ側に前傾する。一方、蓋部２０を閉める際には、蓋部２０の閉動作に連動して、蓋部２０に板ばね７０を介して連結された載置部材５０が、容器本体１０の開口部１０ａから離間して、容器本体１０内における底部１０ｄ側の収納位置に戻る。
よって、第２の実施形態の家庭用薄葉紙収納容器２００においても、上記第１の実施形態の家庭用薄葉紙収納容器１００と同様の効果を得ることができる。
【００５３】
さらに、蓋部２０が開けられた際に、載置部材５０の前壁５０ｂが容器本体１０の前面部１０ｃに当接した状態で、板ばね７０の弾性変形による弾性力により、載置部材５０が容器本体１０の前面部１０ｃ側に付勢されるため、開蓋時における載置部材５０の位置が安定することとなって、載置部材５０に載置された家庭用薄葉紙Ｐの取り出し易さが更に高まることとなる。
【００５４】
[第３の実施形態]
次に、第３の実施形態の家庭用薄葉紙収納容器について説明する。
なお、以下では、上記第１の実施形態と同じ又は類似の構成には同一符号を付すとともにその説明を省略し、第１の実施形態と異なる部分についてのみ説明する。
【００５５】
本実施形態の家庭用薄葉紙収納容器３００は、図１５〜図１８に示すように、上部に開口部１０ａが設けられ、内部に家庭用薄葉紙Ｐを収納するための容器本体１０と、容器本体１０の後面部１０ｂ側にヒンジ機構部３０を介して回動可能に備えられ、開口部１０ａを開閉自在とする蓋部２０と、容器本体１０と蓋部２０を離間させる方向に付勢するねじりコイルばね３１と、上端部８０ａが蓋部２０に連結され、蓋部２０の開動作及び閉動作に連動して移動する可動部としての２つの長尺な連結部材８０と、各連結部材８０の下端部８０ｂに連結され、家庭用薄葉紙Ｐを載置する載置部材５０と、を備える。
【００５６】
各連結部材８０は、例えば、蓋部２０の開閉動作によっては変形しない程度の剛性を有する平板部材により形成されている。各連結部材８０の上端部８０ａは、蓋部２０の内面側両側に、左右方向の軸周りに回動可能に軸着されて連結されている。また、各連結部材８０の下端部８０ｂは、家庭用薄葉紙Ｐを載置する載置部材５０における左右両側の各側壁５０ｄの下端側外周に、左右方向の軸周りに回動可能に軸着されて連結されている。
これらの連結部材８０は、その上端部８０ａに連結された蓋部２０に連動して移動することで、蓋部２０の開閉時に、下端部８０ｂに連結された載置部材５０の位置を変動させる。
【００５７】
載置部材５０における左右両側の各側壁５０ｄの下端側外周には、前述したように、蓋部２０に連結された各連結部材８０の下端部８０ｂが接着されている。すなわち、載置部材５０は、連結部材８０を介して蓋部２０に連結されている。
そのため、載置部材５０は、蓋部２０が開動作を行った場合に、蓋部２０に連結された連結部材８０によって上方に引き上げられ、容器本体１０内における底部１０ｄ側の収納位置から開口部１０ａ側に移動して、載置部材５０に載置された家庭用薄葉紙Ｐを開口部１０ａ側に移動させるようになっている。
【００５８】
具体的には、蓋部２０が閉じた状態では、前述したように、家庭用薄葉紙Ｐを載置する載置部材５０は、容器本体１０内の底部１０ｄ側に、容器本体１０の底部１０ｄに載置された状態で収納される（図１６）。そして、蓋部２０が閉じた状態（図１６）から、開口部１０ａを露出させるように蓋部２０が開動作すると、蓋部２０に連結された連結部材８０が、下端部８０ｂ側に接着された載置部材５０を後側斜め上方に引き上げる。すると、載置部材５０は、連結部材８０によって引き上げられて容器本体１０の開口部１０ａ側に上昇し、図１７及び図１８に示すように、載置部材５０の上端側が開口部１０ａから突出する（以下、この位置を「取り出し位置」という）。
【００５９】
また、このとき、載置部材５０を上方に引き上げる力は載置部材５０における重心よりも後寄り且つ下寄りの位置に作用するため、載置部材５０は、開口部１０ａ側への上昇と同時に、連結部材８０との連結箇所を支点として載置部材５０に対して左右方向の軸周りに回動して前方に倒れることとなる。そして、載置部材５０の内部に載置された家庭用薄葉紙Ｐの上端部が、容器本体１０の前方の使用者側に斜めに突出する。
【００６０】
したがって、使用者が、容器本体１０の内部に収納された家庭用薄葉紙Ｐを取り出すために蓋部２０を開けると、蓋部２０の開動作に連動して、連結部材８０を介して蓋部２０に連結されている載置部材５０が、連結部材８０によって引き上げられて、容器本体１０内における底部１０ｄ側から開口部１０ａ側に上昇し、載置部材５０の上端側が開口部１０ａから突出するとともに前方に倒れる。これにより、載置部材５０に載置された家庭用薄葉紙Ｐが開口部１０ａ側に移動するとともに前傾して、家庭用薄葉紙Ｐの上端部が使用者側に斜めに突出することとなり、使用者が、家庭用薄葉紙Ｐの上端部を掴んで容器本体１０の内部から取り出し易くなる。
【００６１】
一方、蓋部２０が開いた状態（図１７、図１８）から、開口部１０ａを塞ぐように蓋部２０が閉動作すると、開蓋時において蓋部２０によって後側斜め上方に引き上げられていた連結部材８０が、蓋部２０に連動して移動して元の位置に戻る。すると、連結部材８０材によって後側斜め上方に引き上げられていた載置部材５０が、容器本体１０の開口部１０ａから離間する方向に下降して、図１６に示すように、容器本体１０内における底部１０ｄ側に戻る。これにより、載置部材５０に載置された家庭用薄葉紙Ｐが、容器本体１０内における底部１０ｄ側の位置に戻ることとなる。
【００６２】
したがって、使用者が、家庭用薄葉紙Ｐの取り出し後に蓋部２０を閉じると、蓋部２０の閉動作に連動して、連結部材８０を介して蓋部２０に連結されている載置部材５０が、家庭用薄葉紙Ｐとともに、容器本体１０内における底部１０ｄ側の位置に下降して、開口部１０ａ側の取り出し位置から再び底部１０ｄ側の収納位置に戻ることとなる。載置部材５０が収納位置にある状態、すなわち、載置部材５０が容器本体１０内における底部１０ｄ側の位置にある状態（図１６）では、載置部材５０に載置された家庭用薄葉紙Ｐの上端部が開口部１０ａから使用者側に突出しないため、容器本体１０と蓋部２０の間に家庭用薄葉紙Ｐが挟まってしまうというトラブルが発生せず、蓋部２０をスムーズに閉めることができる。
【００６３】
以上に説明した第３の実施形態の家庭用薄葉紙収納容器３００によれば、蓋部２０を開く際には、蓋部２０の開動作に連動して、蓋部２０に連結部材８０を介して連結された載置部材５０が、連結部材８０により上方側に引き上げられて、容器本体１０の開口部１０ａ側の取り出し位置に移動するとともに、容器本体１０の前面部１０ｃ側に前傾する。一方、蓋部２０を閉める際には、蓋部２０の閉動作に連動して、蓋部２０に連結部材８０を介して連結された載置部材５０が、容器本体１０の開口部１０ａから離間して、容器本体１０内における底部１０ｄ側の収納位置に戻る。
よって、第３の実施形態の家庭用薄葉紙収納容器３００においても、上記第１の実施形態の家庭用薄葉紙収納容器１００と同様の効果を得ることができる。
【００６４】
なお、本発明は上記実施形態に限られず、本発明の趣旨を逸脱しない範囲において、種々の改良並びに設計の変更を行ってもよい。
【００６５】
例えば、上記の各実施形態では、載置部材として上部が開口した箱体状に形成されたものを例示したが、少なくとも底面部を有するものであれば、如何なる形状の載置部材を用いても良い。
【００６６】
また、上記の各実施形態では、容器本体１０の開口部１０ａから載置部材５０の上端側が突出した位置を、載置部材５０の取り出し位置として説明したが、載置部材５０の取り出し位置はこれに限られず、閉蓋時における収納位置と比較して容器本体１０の開口部１０ａに近接した位置であれば良い。
また、上記各実施形態では、容器本体１０の底部１０ｄに載置部材５０が載置された位置を、載置部材５０の収納位置として説明したが、載置部材５０の収納位置はこれに限られず、開蓋時における取り出し位置と比較して容器本体１０の開口部１０ａから離間した位置であればよい。
【００６７】
例えば、上記実施の形態においては、可動部を、２本の紐状部材／２つの板ばね／２つの連結部材により構成する場合について説明したが、可動部はこれらに限られず、少なくとも蓋部の開動作に連動して載置部材を開口部側に移動させ、蓋部の閉動作に連動して載置部材を開口部から離間させることが可能なものである限り、その他の任意の材料、数、形状の部材を用いることができる。
【００６８】
また、上記変形例においては、容器本体１０の底部１０ｄと載置部材５０の底面部５０ａとの間に配設される弾性部材としてコイルばねを例示したが、弾性部材はコイルばねに限られず、その他の任意の材料、数、形状の部材を用いることができる。
【００６９】
また、例えば、容器本体１０の内周側の側面等に、載置部材をガイドするためのガイドレールを配設するとともに、載置部材の側壁等に突設した突起をガイドレールの溝に嵌合させ、載置部材をガイドレールに沿って摺動させることで、蓋部の開閉時に載置部材が安定した状態で昇降するように構成しても良い。
【００７０】
また、例えば、紐状部材等の可動部の長さを可変自在にすることで、使用者が、開蓋時おける載置部材の位置を調整できるように構成しても良い。
【００７１】
また、その他、具体的な細部構造等についても適宜に変更可能であることは勿論である。
【符号の説明】
【００７２】
１００  家庭用薄葉紙収納容器
１０  容器本体
１０ａ  開口部
１０ｂ  後面部（後）
１０ｃ  前面部（前）
１０ｄ  底部
２０  蓋部
４０  紐状部材（可動部）
５０  載置部材
５０ａ  底面部
５０ｂ  前壁
５０ｃ  後壁
５０ｄ  側壁
１００ａ  家庭用薄葉紙収納容器
６０  弾性部材
２００  家庭用薄葉紙収納容器
７０  板ばね（可動部）
３００  家庭用薄葉紙収納容器
８０  連結部材（可動部）
８０ａ  上端部
８０ｂ  下端部
Ｐ  家庭用薄葉紙
【図１】
2010228766.tif 000003
【図２】
2010228766.tif 000004
【図３】
2010228766.tif 000005
【図４】
2010228766.tif 000006
【図５】
2010228766.tif 000007
【図６】
2010228766.tif 000008
【図７】
2010228766.tif 000009
【図８】
2010228766.tif 000010
【図９】
2010228766.tif 000011
【図１０】
2010228766.tif 000012
【図１１】
2010228766.tif 000013
【図１２】
2010228766.tif 000014
【図１３】
2010228766.tif 000015
【図１４】
2010228766.tif 000016
【図１５】
2010228766.tif 000017
【図１６】
2010228766.tif 000018
【図１７】
2010228766.tif 000019
【図１８】
2010228766.tif 000020